(57)【要約】      （修正有）【課題】座席に座ったとき、膝の上で安心して操作できるノートパソコン携帯用かばんを提供する。【解決手段】表面板部１２及び裏面板部１３の底面をマチ底部１５で互いに結合して形成したかばん１０の両側及び上面の三方を開閉手段２０により開閉可能に形成し、前記表面板部１２及び前記裏面板部１３の内部にそれぞれ衝撃を吸収する硬質合成樹脂板で形成した補強板を取付ける。ノートパソコンを収容する主収容部を内部に形成し、前記表面板部１２の外側にそれぞれ上下方向に独立した袋状に形成した複数の保持部２９を形成し、該保持部内にそれぞれ軽量で小粒な発泡ビーズを流動可能に収容してある。【選択図】図１
0003156971.tif 000002
【実用新案登録請求の範囲】
【請求項１】
表裏両面板部（１２）、（１３）の底面をマチ底部（１５）で互いに結合して形成したかばん（１０）の両側及び上面の三方を開閉手段（２０）で開閉可能に形成し、前記表裏両面板（１２）、（１３）の内部に衝撃を吸収する硬質合成樹脂板で形成した補強板（２２）を取付け、ノートパソコン（Ｘ）を収容する主収容部（２３）を内部に形成し、前記表面板部（１２）の外側にそれぞれ上下方向に独立した袋状に形成した複数の保持部（２９）を形成し、該保持部内にそれぞれ軽量で小粒な発泡ビーズ（３２）を流動可能に収容してなることを特徴とするノートパソコン携帯用かばん。
【請求項２】
前記かばん（１０）の表面板部（１２）に取付けた第１保持部（２９）は、表面板部（１２）の中央上下方向に一定幅の平坦部（３０）と、該平坦部の左右両側にそれぞれ独立させた一対の小袋部（３１）とからなり、該保持部の小袋部（３１）内に軽量で小粒な発泡ビーズ（３２）をそれぞれ流動可能に収容してなることを特徴とする請求項１記載のノートパソコン携帯用かばん。
【請求項３】
前記かばん（１０）の表面板部（１２）に取付けた第２保持部（３５）が、前記表面板部（１２）全体に複数の小袋部（３６）を上下方向にそれぞれ独立して形成し、該小袋部内にそれぞれ軽量で小粒な発泡ビーズ（３２）を流動可能に収容してなることを特徴とする請求項１記載のノートパソコン携帯用かばん。
【請求項４】
前記かばん（１０）の表面板部（１２）に設けた第３保持部（３７）は、前記表面板部（１２）の表面全体を縦横に区画した多数の小袋部（３８）を形成し、該小袋内にそれぞれ軽量で小粒な発泡ビーズ（３２）を流動可能に収容してなることを特徴とする請求項１記載のノートパソコン携帯用かばん。
【考案の詳細な説明】
【技術分野】
【０００１】
本考案は、主にノートパソコンなどの小型コンピュータを携行する際に収納する携帯かばんに関するものである。
【背景技術】
【０００２】
昨今、多く使用されるパーソナルコンピュータのうち、特にノート型パソコン（Ａ４〜Ｂ６）と呼ばれる携帯型パソコン（以下、ノートパソコンという。）は小型軽量化が進み、持ち運びが便利になっていることから、いろいろな場所で使用する機会が増えており、特に電車やバスなどの交通手段での移動中に使用することが多くなっている。
【０００３】
また、ノートパソコンを持ち運ぶためのカバンは、運搬中に外部からの衝撃や押圧力などによってパソコンが壊れないように工夫された多種多様なものがあり、クッション性を有するソフトケースにノートパソコンを収容し、そのソフトケースを手提げカバンに収容して持ち運ぶものや、丈夫な金属製のハードケースに収容して持ち運ぶものなどが知られている。
【先行技術文献】
【特許文献】
【０００４】
【特許文献１】特開２００３−１０２５２９号公報
【特許文献２】特開２００３−２９５９７４号公報
【０００５】
前記ケースのうち、ソフトケースはパソコンをケースに入れて持ち運ぶ際に、偶発的な外部からの衝撃などでノートパソコンに内蔵されているハードデスクが破損するのを防止するため、ウレタン素材などからなるクッション性を有する袋体内にノートパソコンを収容し、さらにノートパソコンを収容した袋体をカバン内に収容して携行している。
【０００６】
このソフトケースは外部からの衝撃は吸収可能であるが、ラッシュ時の電車内などで人や他人のカバンなどで押されて変形するおそれがある押圧力に弱く、また、ソフトケースを収納するかばんの構造は複雑でコストも高くなり不便である。また、ハードタイプのケースは金属製で頑丈であるから、外部からの衝撃力や押圧力に対しては抵抗力を有するが、ケース自体が重く持ち運びに不便であると共にコスト面でもソフトケースに比較して合理化がしにくく不経済である。
【０００７】
また、交通手段による移動中に車内でパソコンを使用するとき、かばんからパソコンを取り出した後、膝の上にかばんを置き、その上にパソコンをのせて使用するが、その際、電車の振動でかばんが移動したり、膝の上に置いたかばんが水平にならずに斜めになるなど不安定になるため使い難いという問題点を有していた。
【考案の概要】
【考案が解決しようとする課題】
【０００８】
本考案が解決しようとする課題は、携行するノートパソコンを収容するかばんを外部からの押圧力や衝撃力に強く安全性を高めると共に、交通機関での移動中に安定した状態でパソコンを操作することができるかばんを提供することを目的とするものである。
【課題を解決するための手段】
【０００９】
上記課題を達成するため本考案は、表裏両面板部１２、１３の底面をマチ底部１５で互いに結合して形成したかばん１０の両側及び上面の三方を開閉手段２０で開閉可能に形成し、前記表裏両面板部１２、１３の内側に衝撃を吸収する硬質合成樹脂板で形成した補強板２２を取付け、ノートパソコンＸを収容する主収容部２３を内部に形成し、前記表面板部１２の外側にそれぞれ上下方向に独立して袋状に形成した複数の保持部２９を形成し、該保持部内にそれぞれ軽量で小粒な発泡ビーズ３２を流動可能に収容してなることを特徴とする。また、前記かばん１０の表面板部１２に取付けた第１保持部２９は、表面板部１２の中央上下方向に一定幅の平坦部３０と、該平坦部の左右両側にそれぞれ独立させた一対の小袋部３１とからなり、該第１保持部の小袋部３１内に軽量で小粒な発泡ビーズ３２をそれぞれ流動可能に収容してなることを特徴とする。さらには、前記かばん１０の表面板部１２に取付けた第２保持部３５が、前記表面板部１２全体に複数の小袋部３６を上下方向にそれぞれ独立して形成し、該小袋部３６内にそれぞれ軽量で小粒な発泡ビーズ３２を流動可能に収容してなることを特徴とする。さらにはまた、前記かばん１０の表面板部１２に設けた第３保持部３７は、前記表面板部１２の表面全体を縦横に区画した多数の小袋部３８を形成し、該小袋内にそれぞれ軽量で小粒な発泡ビーズ３２を流動可能に収容してなることを特徴とする。
【考案の効果】
【００１０】
本考案のパソコン携帯用かばん１０は、両面板部１２、１３内に硬度を有した補強板２２を収容し、一方の表面板部１２の外側に複数に分割した小袋部３１からなる保持部２９を形成し、該保持部内に軽量で小粒な発泡ビーズ３２を流動可能に収容してかばん全体の軽量化を図り、外部からの衝撃力や押圧力に対しては強度性を有する補強板２２でかばん１０全体の変形を防止し、携行中における不意の衝撃に対しては、保持部２９内の発泡ビーズ３２で衝撃を吸収してノートパソコンＸが壊れるのを防止することができる。また、座席に座ってかばん１０の保持部２９側を膝側にして置くと、かばんの自重で発泡ビーズ３２が移動して大腿部Ｙの形状にフィットしてかばんの移動を防止すると共にかばんをほぼ水平状態に置くことができ、また、保持部２９内に収容した発泡ビーズ３２により電車の振動を吸収し、かばんを安定させた状態で操作をすることができる有益なる効果を有する。
【図面の簡単な説明】
【００１１】
【図１】本考案に係るパソコン携帯用かばんの表面部側を示す斜視図である。
【図２】パソコン携帯用かばんの裏面部側を示す斜視図である。
【図３】かばんの中央横断面図である。
【図４】かばんを膝に載せた状態の正面図である。
【図５】かばんを膝に載せた状態の側面図である。
【図６】前下がりの膝にかばんを載せて水平状態を示す説明図である。
【図７】前上がりの膝にかばんを載せて水平状態を示す説明図である。
【図８】表面板部に設けた保持部の第２実施例を示す正面図である。
【図９】表面板部に設けた保持部の第３実施例を示す正面図である。
【考案を実施するための形態】
【００１２】
本考案の実施の形態を図面に基づいて説明すると、図１は本考案に係るパソコン携帯用かばんの表面部側を示す斜視図、図２はパソコン携帯用かばんの裏面部側を示す斜視図、図３はかばんの中央横断面図、図４はかばんを膝に載せた状態の正面図、図５はかばんを膝に載せた状態の側面図、図６は前下がりの膝にかばんを載せて水平状態を示す説明図、図７は前上がりの膝にかばんを載せて水平状態を示す説明図である。本考案に係るパソコン携帯用かばん１０（以下かばんという）は、ノートパソコンＸのサイズがＡ４版からＢ６版サイズまで収容可能な縦２７０〜３００ｍｍ、横３５０〜４００ｍｍ、好ましくは、縦３００ｍｍ、横４００ｍｍの大きさに形成し、それぞれ合成樹脂材で形成した表面板部１２と裏面板部１３の底面をマチ底片１５で連結し、前記表面板部１２と裏面板部１３の両側と上面に連続して設けたマチ部１６に開閉手段、例えば、ファスナー２０を取付けて開閉可能に形成してある。
【００１３】
前記表面板部１２と裏面板部１３は、それぞれ補強板２２とクッション材（図示せず）とを表地で包み込んで縫合して形成され、かばん１０内にノートパソコンＸを収容する主収容部２３を形成し、前記表背両面板部１２、１３の内面部には、各種の資料や雑誌などを収容するポケット部（図示せず）を形成し、さらに、携帯電話、財布または筆記用具等をそれぞれ仕分けして収容する小ポケット部（図示せず）を必要に応じて設けてある。
【００１４】
前記表面板部１２と裏面板部１３の内側に、それぞれ補強板２２とクッション材（図示せず）を内包したことにより、通勤ラッシュ時に外部から加わる押圧力に対してかばん１０内に収容したノートパソコンＸを保持することができる。また、表面板部１２と裏面板部１３の内側に取付けた補強板２２は、合成樹脂板またはベニヤ板などの硬度性を有する板材で形成したことにより、かばん１０内にノートパソコンＸなどの比較的重量のあるものを収容したときにも、かばん自体の型崩れを防止することができる。
【００１５】
前記かばん１０の表面板部１２には、例えば、車内で座席に座ったとき、かばん１０が電車の振動などで動くのを防止して安定性を保つための保持部２９を設けてある。この保持部２９の第１の実施形態を図１、３に基づいて説明すると、第１保持部２９は、表面板部１２の中央部上下方向に一定幅の平坦部３０を形成し、該平坦部の左右には縦長でそれぞれ独立した一対の小袋部３１を設けてある。この小袋部３１は、布地や柔軟部材で形成してあり、かばん１０を膝の上に載せ、次いで、かばん１０、即ち、補強板２２を下方に押し下げると、各小袋部３１内の発泡ビーズ３２が押圧力によって腿Ｙの曲面に案内されて移動し、それぞれ腿Ｙの中央から左右に分かれて略水平状態に保持され安定性を確保することができる。また、表面板部１２の中央上下方向に平坦部３０を設けたことにより、脚と脚との間にスペースを設けることができるのでかばん１０を安定しておくことができる。
【００１６】
この保持部２９の小袋部３１内には、軽量で表面が平滑な、例えば合成樹脂材を球状に形成したビーズ３２、小粒の発泡ビーズ（いわゆるパウダービーズ）をそれぞれ収容することにより、かばん１０の軽量化を図ることができる。また、各小袋部３１内に収容するビーズ３２の量は、各小袋部３１の約三分の二程度の容量とすることにより、該小袋部内においてビーズ３２の流動がスムースに可動できるようにしてある。
【００１７】
この発泡ビーズ３２は、軽量で小粒で表面が平滑であることから流体のような流動性を有し、流動したときの音が静かでかばん１０を膝Ｙの上においたとき、かばん１０を上から軽く押さえて前後左右に揺することにより、その押圧力で簡単に発泡ビーズ３２が袋内を静かに移動してどのような膝の上曲面でもかばん１０が略水平に戴置されるように変形して水平位置を保持することができる。さらには、電車内で膝にノートパソコンＸを広げたとき、電車の振動を保持部２９内に収容した発泡ビーズ３２が吸収するため、ノートパソコンＸに振動が伝わらず安定して使用することができる。
【００１８】
電車やバスなどの乗りものの座席に座ったとき、脚の長い人又は短い人などいろいろである。そこで膝上にかばんを戴置させたとき、足の短い人はかばんが前下がりになり、かばん上のノートパソコンがズリ下がり不安定になりやすい。そこで、本考案に係るかばん１０の保持部２９を下側にして膝上部分に位置させたかばん１０を上下左右に軽く押圧すると、小袋部３１内の発泡ビーズ３２が膝上部側の曲面に沿って移動し、図６に示すごとく、かばん１０を略水平位置に保つことができる。
【００１９】
また、反対に脚の長い人は、かばん１０が前上がりになり、かばん上のノートパソコンＸが手前側に傾斜して移動しやすく不安定となる。そこで、本考案に係るかばん１０の保持部２９を下側にして押圧することにより小袋部３１内の発泡ビーズ３２が膝の上部側の曲面に沿って移動するので、図７に示すごとく、かばん１０の前後方向に対して略水平位置を保つことができる。
【００２０】
図８は、かばん１０の表面板部１２に設けた保持部の第２実施例で、第２保持部３５は、表面板部１２の表面全体において、上下方向にそれぞれ独立した複数の小袋部３６を連設し、該小袋部内にそれぞれ軽量で小粒なビーズ３２、例えば発泡ビーズを流動可能に収容して形成してある。
【００２１】
この第２保持部３５の小袋部３６内それぞれ発泡ビーズ３２を約三分の二程度収容することにより、発泡ビーズ３２の流動をスムースに行うことができる。したがって、かばん１０の第２保持部３５を下側にして膝上に戴置したとき、腿の形状に合わせてビーズ３２が膝上部の曲面の形状に案内されて移動してピッタリフィットさせることができる。したがって、膝にかばんを載せたときの安定性をより向上させることができる。
【００２２】
図９は、かばん１０の表面板部１２に設けた保持部の第３実施例で、第３保持部３７は、表面板部１２の全体をキルティング状に多数の小袋部３８を形成し、該小袋部３８内にそれぞれ軽量で小粒なビーズ３２、例えば発泡ビーズを約三分の二程度収容して自由に移動できるように形成してある。
【００２３】
前記かばん１０の表面板部１２に第３保持部３７を形成したことにより、かばん１０の第３保持部３７を下側にして膝上に戴置したとき、腿の形状に合わせてビーズ３２が移動してピッタリフィットさせることができる。また、膝にかばんを載せたときの安定性をより向上させることができる。さらには、通勤のラッシュ時に外部からの衝撃力や押圧力を第３保持部３７のビーズ３２で吸収すると共に、内部にそれぞれ補強板２２、２３を装着してあるのでかばん１０内部に収容したノートパソコンを保護することができる。
【００２４】
以下、本考案の実施形態の作用について説明すると、ノートパソコンＸをかばん１０内に収容する場合、表裏面板部１２、１３のファスナー２０を開き、ノートパソコンＸを主収容部２３に収容する。またはインナーの専用ケースに収容してもよい。
【００２５】
かばん１０内に収納するノートパソコンＸは、Ａ４〜Ｂ６サイズのいずれのサイズでも収納可能であり、ノートパソコンＸは、かばんの表裏面板部１２、１３に内包されている補強板２２とクッション部とにより外圧から保護されている。
【００２６】
前記補強板２２は、合成樹脂板などの硬度性を有する板材で、混雑したラッシュ時の乗物内や人ごみの中で押されてもかばん１０の変形を防止することができるため、かばん１０内に収容したノートパソコンＸの変形を防止することができる安全性を担保することができる。
【００２７】
また、かばん１０の表面板部１２に取付けた保持部２９は、それぞれ各小袋部３１の内部に発泡ビーズ３２を収容してあるため、流動性と弾力性を有し、外部からの衝撃力や押圧力などを吸収することができる。
【００２８】
車内の座席に座ってソートパソコンＸを使用する場合、かばん１０の保持部２９側を膝に載せるだけでノートパソコンＸの重量で発泡ビーズ３２が移動し、また、幅に応じて下方に押圧することにより腿Ｙの上面側の曲面形状に合わせて変形させて確実に保持することができる。次いで、かばん１０のファスナー２０を開いて内部からノートパソコンＸを取り出してかばん１０の上に戴置する。そのとき、かばん１０の表裏面板部１２、１３内にそれぞれ補強板２２が内包されているため、かばんの上面が凸凹にならずノートパソコンＸを安定して戴置させることができる。
【００２９】
また、ノートパソコンＸの使用中は、保持部２９内の発泡ビーズ３２が電車の振動を吸収することができるため、ノートパソコンＸの位置がズレたり脱落することなく確実に略水平位置を保持することができるため安全である。
【００３０】
さらには、第２保持部３５の小袋部３６を縦長に複数に分割して形成することにより、膝の上で腿の上面側の形状に合わせてフィットさせて略水平状態に維持させることができるので、位置がズレたり脱落することなく確実に保持することができて安全である。
【００３１】
さらにはまた、第３保持部３７に示すごとく、小袋部３８を縦横に多数に分割することにより、ビーズが偏らずに均一化し、膝の上で腿の上面側の形状に合わせてフィットさせて略水平状態に維持させることができるので、位置がズレたり脱落することなく確実に保持することができるため安全である。
【符号の説明】
【００３２】
１０    かばん
１２    表面板部
１３    裏面板部
１５    マチ底片
１６    マチ部
２０    ファスナー
２１    ポケット
２２    補強板
２３    主収容部
２９    第１保持部
３０    平坦部
３１    小袋部
３２    発泡ビーズ
３５    第２保持部
３６    小袋部
３７    第３保持部
３８    小袋部
Ｘ      ノートパソコン
Ｙ      膝（腿）
【図１】
0003156971.tif 000003
【図２】
0003156971.tif 000004
【図３】
0003156971.tif 000005
【図４】
0003156971.tif 000006
【図５】
0003156971.tif 000007
【図６】
0003156971.tif 000008
【図７】
0003156971.tif 000009
【図８】
0003156971.tif 000010
【図９】
0003156971.tif 000011
【手続補正書】
【提出日】平成21年11月25日(2009.11.25)
【手続補正１】
【補正対象書類名】実用新案登録請求の範囲
【補正対象項目名】全文
【補正方法】変更
【補正の内容】
【実用新案登録請求の範囲】
【請求項１】
表面板部（１２）及び裏面板部（１３）の底面をマチ底部（１５）で互いに結合して形成したかばん（１０）の両側及び上面の三方を開閉手段（２０）で開閉可能に形成し、前記表面板部（１２）及び裏面板部（１３）の内部に衝撃を吸収する硬質合成樹脂板で形成した補強板（２２）を取付けてノートパソコン（Ｘ）を収容する主収容部（２３）を内部に形成し、前記表面板部（１２）の外側にそれぞれ上下方向に独立した袋状に形成した複数の保持部（２９）を形成し、該保持部内にそれぞれ軽量で小粒な発泡ビーズ（３２）を流動可能に収容してなることを特徴とするノートパソコン携帯用かばん。
【請求項２】
前記かばん（１０）の表面板部（１２）に取付けた第１保持部（２９）は、表面板部（１２）の中央上下方向に一定幅の平坦部（３０）と、該平坦部の左右両側にそれぞれ独立させた一対の小袋部（３１）とからなり、該保持部の小袋部（３１）内に軽量で小粒な発泡ビーズ（３２）をそれぞれ流動可能に収容してなることを特徴とする請求項１記載のノートパソコン携帯用かばん。
【請求項３】
前記かばん（１０）の表面板部（１２）に取付けた第２保持部（３５）が、前記表面板部（１２）全体に複数の小袋部（３６）を上下方向にそれぞれ独立して形成し、該小袋部内にそれぞれ軽量で小粒な発泡ビーズ（３２）を流動可能に収容してなることを特徴とする請求項１記載のノートパソコン携帯用かばん。
【請求項４】
前記かばん（１０）の表面板部（１２）に設けた第３保持部（３７）は、前記表面板部（１２）の表面全体に縦横に区画した多数の小袋部（３８）を形成し、該小袋内にそれぞれ軽量で小粒な発泡ビーズ（３２）を流動可能に収容してなることを特徴とする請求項１記載のノートパソコン携帯用かばん。
【手続補正２】
【補正対象書類名】明細書
【補正対象項目名】全文
【補正方法】変更
【補正の内容】
【考案の詳細な説明】
【技術分野】
【０００１】
本考案は、主にノートパソコンなどの小型コンピュータを携行する際に収納する携帯かばんに関するものである。
【背景技術】
【０００２】
昨今、多く使用されるパーソナルコンピュータのうち、特にノート型パソコン（Ａ４〜Ｂ６）と呼ばれる携帯型パソコン（以下、ノートパソコンという。）は小型軽量化が進み、持ち運びが便利になっていることから、いろいろな場所で使用する機会が増えており、特に電車やバスなどの交通手段での移動中に使用することが多くなっている。
【０００３】
また、ノートパソコンを持ち運ぶためのカバンは、運搬中に外部からの衝撃や押圧力などによってパソコンが壊れないように工夫された多種多様なものがあり、クッション性を有するソフトケースにノートパソコンを収容し、そのソフトケースを手提げカバンに収容して持ち運ぶものや、丈夫な金属製のハードケースに収容して持ち運ぶものなどが知られている。
【先行技術文献】
【特許文献】
【０００４】
【特許文献１】特開２００３−１０２５２９号公報
【特許文献２】特開２００３−２９５９７４号公報
【０００５】
前記ケースのうち、ソフトケースはパソコンをケースに入れて持ち運ぶ際に、偶発的な外部からの衝撃などでノートパソコンに内蔵されているハードデスクが破損するのを防止するため、ウレタン素材などからなるクッション性を有する袋体内にノートパソコンを収容し、さらにノートパソコンを収容した袋体をカバン内に収容して携行している。
【０００６】
このソフトケースは外部からの衝撃は吸収可能であるが、ラッシュ時の電車内などで人や他人のカバンなどで押されて変形するおそれがある押圧力に弱く、また、ソフトケースを収納するかばんの構造は複雑でコストも高くなり不便である。また、ハードタイプのケースは金属製で頑丈であるから、外部からの衝撃力や押圧力に対しては抵抗力を有するが、ケース自体が重く持ち運びに不便であると共にコスト面でもソフトケースに比較して合理化がしにくく不経済である。
【０００７】
また、交通手段による移動中に車内でパソコンを使用するとき、かばんからパソコンを取り出した後、膝の上にかばんを置き、その上にパソコンをのせて使用するが、その際、電車の振動でかばんが移動したり、膝の上に置いたかばんが水平にならずに斜めになるなど不安定になるため使い難いという問題点を有していた。
【考案の概要】
【考案が解決しようとする課題】
【０００８】
本考案が解決しようとする課題は、携行するノートパソコンを収容するかばんを外部からの押圧力や衝撃力に強く安全性を高めると共に、交通機関での移動中に安定した状態でパソコンを操作することができるかばんを提供することを目的とするものである。
【課題を解決するための手段】
【０００９】
上記課題を達成するため本考案は、表面板部１２及び裏面板部１３の底面をマチ底部１５で互いに結合して形成したかばん１０の両側及び上面の三方を開閉手段２０で開閉可能に形成し、前記表面板部１２及び裏面板部１３の内側に衝撃を吸収する硬質合成樹脂板で形成した補強板２２を取付けてノートパソコンＸを収容する主収容部２３を内部に形成し、前記表面板部１２の外側にそれぞれ上下方向に独立して袋状に形成した複数の保持部２９を形成し、該保持部内にそれぞれ軽量で小粒な発泡ビーズ３２を流動可能に収容してなることを特徴とする。また、前記かばん１０の表面板部１２に取付けた第１保持部２９は、表面板部１２の中央上下方向に一定幅の平坦部３０と、該平坦部の左右両側にそれぞれ独立させた一対の小袋部３１とからなり、該第１保持部の小袋部３１内に軽量で小粒な発泡ビーズ３２をそれぞれ流動可能に収容してなることを特徴とする。さらには、前記かばん１０の表面板部１２に取付けた第２保持部３５が、前記表面板部１２全体に複数の小袋部３６を上下方向にそれぞれ独立して形成し、該小袋部３６内にそれぞれ軽量で小粒な発泡ビーズ３２を流動可能に収容してなることを特徴とする。さらにはまた、前記かばん１０の表面板部１２に設けた第３保持部３７は、前記表面板部１２の表面全体に縦横に区画した多数の小袋部３８を形成し、該小袋内にそれぞれ軽量で小粒な発泡ビーズ３２を流動可能に収容してなることを特徴とする。
【考案の効果】
【００１０】
本考案のパソコン携帯用かばん１０は、表面板部１２及び裏面板部１３内に硬度を有した補強板２２を収容し、一方の表面板部１２の外側に複数に分割した小袋部３１からなる保持部２９を形成し、該保持部内に軽量で小粒な発泡ビーズ３２を流動可能に収容してかばん全体の軽量化を図り、外部からの衝撃力や押圧力に対しては強度性を有する補強板２２でかばん１０全体の変形を防止し、携行中における不意の衝撃に対しては、保持部２９内の発泡ビーズ３２で衝撃を吸収してノートパソコンＸが壊れるのを防止することができる。また、座席に座ってかばん１０の保持部２９側を膝側にして置くと、かばんの自重で発泡ビーズ３２が移動して大腿部Ｙの形状にフィットしてかばんの移動を防止すると共にかばんをほぼ水平状態に置くことができ、また、保持部２９内に収容した発泡ビーズ３２により電車の振動を吸収し、かばんを安定させた状態で操作をすることができる有益なる効果を有する。
【図面の簡単な説明】
【００１１】
【図１】本考案に係るパソコン携帯用かばんの表面板部側を示す斜視図である。
【図２】パソコン携帯用かばんの裏面板部側を示す斜視図である。
【図３】かばんの中央横断面図である。
【図４】かばんを膝に載せた状態の正面図である。
【図５】かばんを膝に載せた状態の側面図である。
【図６】前下がりの膝にかばんを載せて水平状態を示す説明図である。
【図７】前上がりの膝にかばんを載せて水平状態を示す説明図である。
【図８】表面板部に設けた保持部の第２実施例を示す正面図である。
【図９】表面板部に設けた保持部の第３実施例を示す正面図である。
【考案を実施するための形態】
【００１２】
本考案の実施の形態を図面に基づいて説明すると、図１は本考案に係るパソコン携帯用かばんの表面板部側を示す斜視図、図２はパソコン携帯用かばんの裏面板部側を示す斜視図、図３はかばんの中央横断面図、図４はかばんを膝に載せた状態の正面図、図５はかばんを膝に載せた状態の側面図、図６は前下がりの膝にかばんを載せて水平状態を示す説明図、図７は前上がりの膝にかばんを載せて水平状態を示す説明図である。本考案に係るパソコン携帯用かばん１０（以下かばんという）は、ノートパソコンＸのサイズがＡ４版からＢ６版サイズまで収容可能な縦２７０〜３００ｍｍ、横３５０〜４００ｍｍ、好ましくは、縦３００ｍｍ、横４００ｍｍの大きさに形成し、それぞれ合成樹脂材で形成した表面板部１２と裏面板部１３の底面をマチ底片１５で連結し、前記表面板部１２と裏面板部１３の両側と上面に連続して設けたマチ部１６に開閉手段、例えば、ファスナー２０を取付けて開閉可能に形成してある。
【００１３】
前記表面板部１２と裏面板部１３は、それぞれ補強板２２とクッション材（図示せず）とを表地で包み込んで縫合して形成され、かばん１０内にノートパソコンＸを収容する主収容部２３を形成し、前記表面板部１２及び裏面板部１３の内面部には、各種の資料や雑誌などを収容するポケット部（図示せず）を形成し、さらに、携帯電話、財布または筆記用具等をそれぞれ仕分けして収容する小ポケット部（図示せず）を必要に応じて設けてある。
【００１４】
前記表面板部１２と裏面板部１３の内側に、それぞれ補強板２２とクッション材（図示せず）を内包したことにより、通勤ラッシュ時に外部から加わる押圧力に対してかばん１０内に収容したノートパソコンＸを保持することができる。また、表面板部１２と裏面板部１３の内側に取付けた補強板２２は、合成樹脂板またはベニヤ板などの硬度性を有する板材で形成したことにより、かばん１０内にノートパソコンＸなどの比較的重量のあるものを収容したときにも、かばん自体の型崩れを防止することができる。
【００１５】
前記かばん１０の表面板部１２には、例えば、車内で座席に座ったとき、かばん１０が電車の振動などで動くのを防止して安定性を保つための保持部２９を設けてある。この保持部２９の第１の実施形態を図１、３に基づいて説明すると、第１保持部２９は、表面板部１２の中央部上下方向に一定幅の平坦部３０を形成し、該平坦部の左右には縦長でそれぞれ独立した一対の小袋部３１を設けてある。この小袋部３１は、布地や柔軟部材で形成してあり、かばん１０を膝の上に載せ、次いで、かばん１０、即ち、補強板２２を下方に押し下げると、各小袋部３１内の発泡ビーズ３２が押圧力によって腿Ｙの曲面に案内されて移動し、それぞれ腿Ｙの中央から左右に分かれて略水平状態に保持され安定性を確保することができる。また、表面板部１２の中央上下方向に平坦部３０を設けたことにより、脚と脚との間にスペースを設けることができるのでかばん１０を安定しておくことができる。
【００１６】
この保持部２９の小袋部３１内には、軽量で表面が平滑な、例えば合成樹脂材を球状に形成したビーズ３２、小粒の発泡ビーズ（いわゆるパウダービーズ）をそれぞれ収容することにより、かばん１０の軽量化を図ることができる。また、各小袋部３１内に収容するビーズ３２の量は、各小袋部３１の約三分の二程度の容量とすることにより、該小袋部内においてビーズ３２の流動がスムースに可動できるようにしてある。
【００１７】
この発泡ビーズ３２は、軽量で小粒で表面が平滑であることから流体のような流動性を有し、流動したときの音が静かでかばん１０を膝Ｙの上においたとき、かばん１０を上から軽く押さえて前後左右に揺することにより、その押圧力で簡単に発泡ビーズ３２が袋内を静かに移動してどのような膝の上曲面でもかばん１０が略水平に戴置されるように変形して水平位置を保持することができる。さらには、電車内で膝にノートパソコンＸを広げたとき、電車の振動を保持部２９内に収容した発泡ビーズ３２が吸収するため、ノートパソコンＸに振動が伝わらず安定して使用することができる。
【００１８】
電車やバスなどの乗りものの座席に座ったとき、脚の長い人又は短い人などいろいろである。そこで膝上にかばんを戴置させたとき、足の短い人はかばんが前下がりになり、かばん上のノートパソコンがズリ下がり不安定になりやすい。そこで、本考案に係るかばん１０の保持部２９を下側にして膝上部分に位置させたかばん１０を上下左右に軽く押圧すると、小袋部３１内の発泡ビーズ３２が膝上部側の曲面に沿って移動し、図６に示すごとく、かばん１０を略水平位置に保つことができる。
【００１９】
また、反対に脚の長い人は、かばん１０が前上がりになり、かばん上のノートパソコンＸが手前側に傾斜して移動しやすく不安定となる。そこで、本考案に係るかばん１０の保持部２９を下側にして押圧することにより小袋部３１内の発泡ビーズ３２が膝の上部側の曲面に沿って移動するので、図７に示すごとく、かばん１０の前後方向に対して略水平位置を保つことができる。
【００２０】
図８は、かばん１０の表面板部１２に設けた保持部の第２実施例で、第２保持部３５は、表面板部１２の表面全体において、上下方向にそれぞれ独立した複数の小袋部３６を連設し、該小袋部内にそれぞれ軽量で小粒なビーズ３２、例えば発泡ビーズを流動可能に収容して形成してある。
【００２１】
この第２保持部３５の小袋部３６内それぞれ発泡ビーズ３２を約三分の二程度収容することにより、発泡ビーズ３２の流動をスムースに行うことができる。したがって、かばん１０の第２保持部３５を下側にして膝上に戴置したとき、腿の形状に合わせてビーズ３２が膝上部の曲面の形状に案内されて移動してピッタリフィットさせることができる。したがって、膝にかばんを載せたときの安定性をより向上させることができる。
【００２２】
図９は、かばん１０の表面板部１２に設けた保持部の第３実施例で、第３保持部３７は、表面板部１２の全体をキルティング状に多数の小袋部３８を形成し、該小袋部３８内にそれぞれ軽量で小粒なビーズ３２、例えば発泡ビーズを約三分の二程度収容して自由に移動できるように形成してある。
【００２３】
前記かばん１０の表面板部１２に第３保持部３７を形成したことにより、かばん１０の第３保持部３７を下側にして膝上に戴置したとき、腿の形状に合わせてビーズ３２が移動してピッタリフィットさせることができる。また、膝にかばんを載せたときの安定性をより向上させることができる。さらには、通勤のラッシュ時に外部からの衝撃力や押圧力を第３保持部３７のビーズ３２で吸収すると共に、内部にそれぞれ補強板２２、２３を装着してあるのでかばん１０内部に収容したノートパソコンを保護することができる。
【００２４】
以下、本考案の実施形態の作用について説明すると、ノートパソコンＸをかばん１０内に収容する場合、表面板部１２及び裏面板部１３のファスナー２０を開き、ノートパソコンＸを主収容部２３に収容する。またはインナーの専用ケースに収容してもよい。
【００２５】
かばん１０内に収納するノートパソコンＸは、Ａ４〜Ｂ６サイズのいずれのサイズでも収納可能であり、ノートパソコンＸは、かばんの表面板部１２及び裏面板部１３に内包されている補強板２２とクッション部とにより外圧から保護されている。
【００２６】
前記補強板２２は、合成樹脂板などの硬度性を有する板材で、混雑したラッシュ時の乗物内や人ごみの中で押されてもかばん１０の変形を防止することができるため、かばん１０内に収容したノートパソコンＸの変形を防止することができる安全性を担保することができる。
【００２７】
また、かばん１０の表面板部１２に取付けた保持部２９は、それぞれ各小袋部３１の内部に発泡ビーズ３２を収容してあるため、流動性と弾力性を有し、外部からの衝撃力や押圧力などを吸収することができる。
【００２８】
車内の座席に座ってソートパソコンＸを使用する場合、かばん１０の保持部２９側を膝に載せるだけでノートパソコンＸの重量で発泡ビーズ３２が移動し、また、幅に応じて下方に押圧することにより腿Ｙの上面側の曲面形状に合わせて変形させて確実に保持することができる。次いで、かばん１０のファスナー２０を開いて内部からノートパソコンＸを取り出してかばん１０の上に戴置する。そのとき、かばん１０の表面板部１２、裏面板部１３内にそれぞれ補強板２２が内包されているため、かばんの上面が凸凹にならずノートパソコンＸを安定して戴置させることができる。
【００２９】
また、ノートパソコンＸの使用中は、保持部２９内の発泡ビーズ３２が電車の振動を吸収することができるため、ノートパソコンＸの位置がズレたり脱落することなく確実に略水平位置を保持することができるため安全である。
【００３０】
さらには、第２保持部３５の小袋部３６を縦長に複数に分割して形成することにより、膝の上で腿の上面側の形状に合わせてフィットさせて略水平状態に維持させることができるので、位置がズレたり脱落することなく確実に保持することができて安全である。
【００３１】
さらにはまた、第３保持部３７に示すごとく、小袋部３８を縦横に多数に分割することにより、ビーズが偏らずに均一化し、膝の上で腿の上面側の形状に合わせてフィットさせて略水平状態に維持させることができるので、位置がズレたり脱落することなく確実に保持することができるため安全である。
【符号の説明】
【００３２】
１０    かばん
１２    表面板部
１３    裏面板部
１５    マチ底片
１６    マチ部
２０    ファスナー
２１    ポケット
２２    補強板
２３    主収容部
２９    第１保持部
３０    平坦部
３１    小袋部
３２    発泡ビーズ
３５    第２保持部
３６    小袋部
３７    第３保持部
３８    小袋部
Ｘ      ノートパソコン
Ｙ      膝（腿）